(57)【要約】【課題】より多くの角部分を設けることで、消しゴムを少しでも長く快適に使用できるようにする。【解決手段】同一の外形形状を有する９本の消しゴム片１〜９と、これら９本の消しゴム片１〜９を収納するためのケース２０とからなる消しゴムを対象とする。各消しゴム片１〜９は、フラットな上下面を有する上下縦長の四角柱状に形成されており、９本の消しゴム片１〜９を前後左右方向に３×３のマトリクス状に組み合わせてなる四角柱状の集合体１０の形態で、ケース２０に内嵌状に収納される。そして、集合体１０をケース２０に収納した状態において、各消しゴム片１〜９を、他のゴム片およびケース２０に対して上下方向に引き出し可能に構成する。【選択図】図１
0003135753.tif 000002
【実用新案登録請求の範囲】
【請求項１】
同一の外形形状を有する９本の消しゴム片（１〜９）と、これら９本の消しゴム片（１〜９）を収納するためのケース（２０）とからなり、
各消しゴム片（１〜９）は、フラットな上下面を有する上下縦長の四角柱状に形成されており、９本の消しゴム片（１〜９）を前後左右方向に３×３のマトリクス状に組み合わせてなる四角柱状の集合体（１０）の形態で、ケース（２０）に内嵌状に収納されており、
集合体（１０）をケース（２０）に収納した状態において、各消しゴム片（１〜９）が、他のゴム片およびケース（２０）に対して上下方向に引き出し可能に構成されている消しゴム。
【請求項２】
集合体（１０）は、異なる着色処理が施された二種の消しゴム片（１〜９）からなるものであり、これら二種の消しゴム片（１〜９）を前後左右方向に交互に配置して構成されている請求項１記載の消しゴム。
【考案の詳細な説明】
【技術分野】
【０００１】
本考案は消しゴムに関する。
【背景技術】
【０００２】
従来の消しゴムは、多くの場合、長方四角柱状に形成されている。このように消しゴムを長方四角柱状にしていると、その角部分を利用することで、小さい力で効果的に字を消すことができるとともに、細かい場所で消したい部分のみを的確に消すことができる。
しかし、このような角部分は、使用しているうちに直ぐ磨耗し、最終的には角が取れた滑らかな曲面となってしまう。このように全ての角が取れてしまうと、消したい部分のみを的確に消すことが困難となる。つまり、消したい部分だけでなく、その周囲も誤って消してしまうことが多い。
【０００３】
この問題を解決するものとしては、例えば特許文献１に記載の消しゴムを挙げることができる。そこでは、２つの長方四角柱状の消しゴム片を１つのケースに収納している。これによれば、消しゴム全体として、角部分を実質的に２倍にすることができるので、角部分を利用して快適に使用できる期間が長くなる利点がある。
【０００４】
【特許文献１】実願昭４７−６６６７１号（実開昭４９−２５５４４号）のマイクロフィルム
【考案の開示】
【考案が解決しようとする課題】
【０００５】
しかし、ゴム全体の寿命に対する角部分の寿命（角が取れるまでの時間）はあまりに短く、したがって、特許文献１のように、角部分の数を２倍にした程度では、ゴムを多く残したまま角部分だけが先になくなってしまう状況に大きな変化はなく、依然として、角部分を利用して快適に使用できる期間はあまりに短い。角が取れた消しゴムは、人に使う気を無くさせ、場合によっては廃棄されて資源の無駄遣いに繋がる。
【０００６】
本考案は、以上の課題を解決するものであり、より多くの角部分を設けることで、消しゴムを少しでも長く快適に使用できるようにすることを目的とする。
【課題を解決するための手段】
【０００７】
本考案に係る消しゴムは、同一の外形形状を有する９本の消しゴム片１〜９と、これら９本の消しゴム片１〜９を収納するためのケース２０とからなる。各消しゴム片１〜９は、フラットな上下面を有する上下縦長の四角柱状に形成されており、９本の消しゴム片１〜９を前後左右方向に３×３のマトリクス状に組み合わせてなる四角柱状の集合体１０の形態で、ケース２０に内嵌状に収納される。そして、集合体１０をケース２０に収納した状態において、各消しゴム片１〜９が、他のゴム片およびケース２０に対して上下方向に引き出し可能に構成される。
【０００８】
集合体１０は、異なる着色処理が施された二種の消しゴム片１〜９を、前後左右方向に交互に配置して構成することが好ましい。
【考案の効果】
【０００９】
本考案においては、四角柱状の９本の消しゴム片１〜９を構成要素として消しゴムを構成したので、従来の一個の長方四角柱状の消しゴムに比べて９倍の角部分を備えるものとなる（角部分の個数は、計７２個）。このことは、消しゴムの使用期間の長きにわたって角部分が有ることを意味し、したがって、角部分を利用した快適な使用期間が長くなる。繰り返すが、角部分を利用すれば、小さい力で効果的に字を消すことができるとともに、細かい場所で消したい部分のみを的確に消すことができる。
【００１０】
本考案のように、上下縦長の９本の消しゴム片１〜９で消しゴムを構成した場合には、個々の消しゴム片１〜９の前後および左右寸法が小さくなることが避けられず、各消しゴム片１〜９が折れて切断されやすい。つまり、この種の消しゴムの外形寸法の大型化には限界があるため、本考案のように、上下縦長の９本の消しゴム片１〜９で消しゴムを構成した場合には、個々の消しゴム片１〜９の外形寸法が小さくなることが避けられない。
かかる不具合を解決するため、本考案では、９本の消しゴム片１〜９を、前後左右方向に３×３のマトリクス状に組み合わせてなる四角柱状の集合体１０の形態で、ケース２０に内嵌状に収納して、消しゴムを構成している。これによれば、図１および図４に示すように、中央の消しゴム片５を、その四側面が周囲の消しゴム片２・４・６・８で支持された状態で引き出して使用姿勢とすることができる。中央の消しゴム片５以外の消しゴム片１・２・３・４・６・７・８・９は、その少なくとも一側面がケース２０で支持され、残りの側面が周囲の消しゴムで支持された状態で引き出して、使用姿勢とすることができる。したがって、いずれか一つの消しゴム片１〜９を引き出して字を消すときに、前後あるいは左右方向に大きな力が加わった場合にも、周囲の消しゴム片がクッションの役割を果たすことで、引き出された消しゴム片が折れて切断することを効果的に防ぐことができる。このことは、消しゴムの使い勝手が損なわれることを防ぎながら、消しゴム全体の外形寸法のコンパクト化を図ることができることを意味し、したがって、実用利便性、携帯性に優れた消しゴムを提供することができる。
【００１１】
色彩が異なる二種の消しゴム片１〜９を交互に配置して集合体１０を構成すると、上下面に市松模様が現出された消しゴムを提供することができる。これにて、デザイン上の興趣がより高く発揮された消しゴムを得ることができるので、購買者に対する訴求効果を高めて、本考案に係る消しゴムに対する購買意欲を引き出すことができる。隣接するゴム片の境界線が明瞭になり、各消しゴム片１〜９の引き出し操作が容易となる利点もある。
【考案を実施するための最良の形態】
【００１２】
図１ないし図５に、本考案に係る消しゴムの実施形態を示す。図１および図２に示すように、本実施形態に係る消しゴムは、同一の外形形状を有する９本の消しゴム片１〜９と、これら９本の消しゴム片１〜９を収納するためのケース２０とからなる。各消しゴム片１〜９は、フラットな上下面を有する上下縦長の四角柱状に形成されており、９本の消しゴム片１〜９を前後左右方向に３×３のマトリクス状に組み合わせてなる四角柱状の集合体１０の形態で、ケース２０に内嵌状に収納される。各消しゴム片１〜９は、前後寸法を８ｍｍ、左右寸法を１０ｍｍ、上下寸法を５５ｍｍにそれぞれ設定した。
【００１３】
ケース２０は、紙またはプラスチックを素材として、上面および下面が開口する四角筒状に形成され、その上下寸法は、集合体１０のそれより小さく設定される。そのため、各消しゴム片１〜９の収納状態においては、図１に示すように、集合体１０の上端部がケース２０の上端周縁から突出する。また、集合体１０における四隅のゴム片１・３・７・９および中央のゴム片５と、その他のゴム片２・４・６・８とでは、異なる着色処理が施されており、集合体１０は、これら色彩が異なる二種の消しゴム片１〜９を、前後左右方向に交互に配置して構成される。
【００１４】
以下に、本実施形態に係る消しゴムの使用形態を説明する。広範囲にわたって字を消したい場合は、各消しゴム片１〜９をケース２０に収納した状態のまま、集合体１０の全体を使用することで、字を素早く消すことができる（図３参照）。
逆に、細かい場所で消したい部分のみを的確に消したい場合は、各消しゴム片１〜９の角部分を利用することができる。具体的には、１つの消しゴム片、例えば中央のゴム片５を他のゴム片およびケース２０に対して上下方向に引き出して突出させ、この突出部を使用することができる（図４参照）。尤も、１つの消しゴム片１のみをケース２０から取り出して、該消しゴム片１を単独で使用することもできる（図５参照）。
【図面の簡単な説明】
【００１５】
【図１】消しゴムの全体斜視図である。
【図２】消しゴムの分解斜視図である。
【図３】消しゴムの第１の使用形態を示す図である。
【図４】消しゴムの第２の使用形態を示す図である。
【図５】消しゴムの第３の使用形態を示す図である。
【符号の説明】
【００１６】
１〜９  消しゴム片
１０  集合体
２０  ケース
【図１】
0003135753.tif 000003
【図２】
0003135753.tif 000004
【図３】
0003135753.tif 000005
【図４】
0003135753.tif 000006
【図５】
0003135753.tif 000007